(57)【特許請求の範囲】
【請求項１】
ａ）報告移動端末または移動端末と通信する無線装置（１４ａと１４ｂ）であって、該報告移動端末に報告された車両識別を含む報告信号を、該報告移動端末（１６）から受ける無線装置（１４ａと１４ｂ）と；
ｂ）前記無線装置に結合されたデータベース装置（１２）にして、
ｉ）登録された車両識別（４０）と関連情報（４２）をもつメモリ（３０）と；
ii）前記無線装置に結合され前記報告信号を前記データベース装置に入力する入力ユニット（３２）と；
iii）前記無線装置に結合された出力ユニット（３４）と；
iv）前記報告された車両識別に対応する前記メモリに格納された登録された車両識別を同定し、前記同定された車両識別に対応する関連情報を選択し、該選択された関連情報を前記報告移動端末（１６）または移動端末（２２）に送信のため前記無線装置に送るように前記出力ユニットに指令する処理装置（３６）と；
を含む前記データベース装置（１２）と；
を備え、
ｃ）前記報告された車両識別に関連した前記選択された関連情報が、前記無線装置が前記報告移動端末から報告信号を受け取るのに応答して前記報告移動端末または移動端末に送信されるようにしたことを特徴とする通信システム（１０）であって、
ｄ）前記格納された関連情報が移動端末の電話番号を含むことを特徴とし、前記選択された関連情報が前記報告された車両識別に関連した選択された電話番号を含むことを特徴とする通信システム（１０）。
【請求項２】
前記格納された関連情報がメッセージを含むことを特徴とし、前記選択された関連情報が前記報告された車両識別に関連した選択されたメッセージを含む、請求項１に記載の通信システム。
【請求項３】
前記メッセージが前記登録された車両識別に関連したパスワードを含むことを特徴とし、前記選択されたメッセージが前記報告された車両識別に関連した選択されたパスワードを含む、請求項２に記載の通信システム。
【請求項４】
前記メッセージが前記格納された車両識別に関連したコードワードキーを含むことを特徴とし、前記選択されたメッセージが前記報告された車両識別に関連した選択されたコードワードキーを含む、請求項２に記載の通信システム。
【請求項５】
前記メッセージが前記登録された車両識別に関連した記録された音声メッセージを含むことを特徴とし、前記選択されたメッセージが前記報告された車両識別に関連した選択された音声メッセージを含む、請求項２に記載の通信システム。
【請求項６】
前記処理装置が前記出力ユニットに指令して前記選択された電話番号を用いて前記報告された車両識別に関連した登録された移動端末を呼出し、前記データベース装置と前記報告された車両識別に関連した登録された移動端末の間に通信リンクを形成することを特徴とする、請求項１に記載の通信システム。
【請求項７】
前記関連情報がメッセージを含むことを特徴とし、前記選択された関連情報が前記報告された車両識別に関連した選択されたメッセージを含み、前記選択されたメッセージが前記データベース装置と前記登録された移動端末の間の前記通信リンクを用いて前記登録された移動端末に送られる、請求項６に記載の通信システム。
【請求項８】
前記データベース装置がさらに、前記選択された関連情報を送信する前に、前記選択された関連情報を暗号化する暗号化ユニット（３８）を含むことを特徴とする、請求項１に記載の通信システム。
【請求項９】
前記無線装置が前記選択された関連情報を前記報告移動端末に送信することを特徴とする、請求項１に記載の通信システム。
【請求項１０】
ａ）報告移動端末または移動端末と通信する無線装置（１４ａと１４ｂ）であって、該報告移動端末に報告された車両識別を含む報告信号を、該報告移動端末（１６）から受ける無線装置（１４ａと１４ｂ）と；
ｂ）前記無線装置に結合されたデータベース装置（１２）にして、
ｉ）登録された車両識別（４０）と関連情報（４２）をもつメモリ（３０）と；
ii）前記無線装置に結合され前記報告信号を前記データベース装置に入力する入力ユニット（３２）と；
iii）前記無線装置に結合された出力ユニット（３４）と；
iv）前記報告された車両識別に対応する前記メモリに格納された登録された車両識別を同定し、前記同定された車両識別に対応する関連情報を選択し、該選択された関連情報を前記報告移動端末（１６）または移動端末（２２）に送信のため前記無線装置に送るように前記出力ユニットに指令する処理装置（３６）と；
を含む前記データベース装置（１２）と；
を備え、
ｃ）前記報告された車両識別に関連した前記選択された関連情報が、前記無線装置が前記報告移動端末から報告信号を受け取るのに応答して前記報告移動端末または移動端末に送信されるようにしたことを特徴とする通信システム（１０）であって、
ｄ）前記関連情報が電話番号を含むことを特徴とし、前記選択された関連情報が前記報告された車両識別に関連した登録された移動端末の選択された電話番号を含むことを特徴とする通信システム。
【請求項１１】
ａ）報告移動端末または移動端末と通信する無線装置（１４ａと１４ｂ）であって、該報告移動端末に報告された車両識別を含む報告信号を、該報告移動端末（１６）から受ける無線装置（１４ａと１４ｂ）と；
ｂ）前記無線装置に結合されたデータベース装置（１２）にして、
ｉ）登録された車両識別（４０）と関連情報（４２）をもつメモリ（３０）と；
ii）前記無線装置に結合され前記報告信号を前記データベース装置に入力する入力ユニット（３２）と；
iii）前記無線装置に結合された出力ユニット（３４）と；
iv）前記報告された車両識別に対応する前記メモリに格納された登録された車両識別を同定し、前記同定された車両識別に対応する関連情報を選択し、該選択された関連情報を前記報告移動端末（１６）または移動端末（２２）に送信のため前記無線装置に送るように前記出力ユニットに指令する処理装置（３６）と；
を含む前記データベース装置（１２）と；
を備え、
ｃ）前記報告された車両識別に関連した前記選択された関連情報が、前記無線装置が前記報告移動端末から報告信号を受け取るのに応答して前記報告移動端末または移動端末に送信されるようにしたことを特徴とする通信システム（１０）であって、
ｄ）前記無線装置が前記選択された関連情報を前記報告された車両識別に関連した登録された移動端末に送信することを特徴とする通信システム。
【請求項１２】
データベース装置（１２）にして、
ａ）登録された車両識別（４０）と関連情報（４２）を格納し、前記格納された関連情報が車両識別に関連した登録された移動端末（２２）の電話番号を含むメモリ（３０）と；
ｂ）報告移動端末に報告された車両識別を含む報告信号を、前記データベース装置に入力する入力ユニット（３２）と；
ｃ）出力ユニット（３４）と；
ｄ）前記報告された車両識別に対応する登録された車両識別を同定し、前記同定された登録された車両識別に対応する電話番号を選択する処理装置にして、前記選択された電話番号を用いて前記報告された車両識別に関連する登録された移動端末を呼び出すように前記出力ユニットに指令する処理装置（３６）と；
を含み、
ｅ）前記報告された車両識別が前記データベース装置に入力されるのに応答して、通信リンクを前記データベース装置と前記登録された移動端末の間に形成するようにしたことを特徴とする、前記データベース装置（１２）。
【請求項１３】
前記関連情報がメッセージを含むことを特徴とし、前記選択された関連情報が前記報告された車両識別に関連する選択されたメッセージを含み、前記選択されたメッセージが、前記報告された車両識別の前記データベース装置への入力に応答して前記通信リンクを介して前記登録された移動端末に送られる、請求項１２に記載のデータベース装置。
【請求項１４】
前記メッセージが前記登録された車両識別に関連したパスワードを含むことを特徴とし、前記選択されたメッセージが前記報告された車両識別に関連した選択されたパスワードを含む、請求項１２に記載のデータベース装置。
【請求項１５】
前記メッセージが前記登録された車両識別に関連したコードワードキーを含むことを特徴とし、前記選択されたメッセージが前記報告された車両識別に関連した選択されたコードワードキーを含む、請求項１３に記載のデータベース装置。
【請求項１６】
前記メッセージが記録された音声メッセージを含むことを特徴とし、前記選択されたメッセージが前記報告された車両識別に関連した選択された音声メッセージを含む、請求項１３に記載のデータベース装置。
【請求項１７】
前記入力ユニットを専用無線装置（１４ａ）に結合して、該専用無線装置において作動可能な報告移動端末（１６）から前記報告された車両識別を受け取るようにしたことを特徴とする、請求項１２に記載のデータベース装置。
【請求項１８】
前記出力ユニットを公共無線装置（１４ｂ）に結合して、前記出力ユニットが前記公共無線装置において作動可能な前記登録された移動端末を呼び出せるようにすることを特徴とする、請求項１２に記載のデータベース装置。
【請求項１９】
前記選択された関連情報を移動端末に送信する前に、該選択された関連情報を暗号化する暗号化ユニット（３８）をさらに含むことを特徴とする、請求項１２に記載のデータベース装置。
【請求項２０】
データベース装置（１２）にして、
ａ）登録された車両識別（４６）と関連情報（４２）をもつメモリ（３０）と；
ｂ）報告移動端末に報告された車両識別を含む報告信号を、前記データベース装置に入力する入力ユニット（３２）と；
ｃ）出力ユニット（３４）と；
ｄ）前記報告された車両識別に対応する前記メモリに格納された登録された車両識別を同定し、前記同定された登録された車両識別に関連する関連情報を選択する処理装置にして、前記選択された関連情報を前記報告移動端末（１６）または移動端末（２２）に送るように前記出力ユニットに指令する前記処理装置（３６）と；
を含み、
ｅ）前記報告された車両識別が前記データベース装置に入力されるのに応答して、通信リンクを前記データベース装置と前記報告移動端末または移動端末の間に形成したことを特徴とする、前記データベース装置（１２）であって、
ｆ）前記格納された関連情報が登録された移動端末（２２）の電話番号を含むことを特徴とし、前記選択された関連情報が前記報告された車両識別に関連した登録された電話番号を含むことを特徴とする車両識別データベース装置。
【請求項２１】
前記格納された関連情報がメッセージを含むことを特徴とし、前記選択された関連情報が前記報告された車両識別に関連する選択されたメッセージを含む、請求項２０に記載のデータベース装置。
【請求項２２】
前記メッセージが前記登録された車両識別に関連したパスワードを含むことを特徴とし、前記選択されたメッセージが前記報告された車両識別に関連した選択されたパスワードを含む、請求項２１に記載のデータベース装置。
【請求項２３】
前記メッセージが登録された車両識別に関連したコードワードキーを含むことを特徴とし、前記選択されたメッセージが前記報告された車両識別に関連した選択されたコードワードキーを含む、請求項２１に記載のデータベース装置。
【請求項２４】
前記メッセージが記録された音声メッセージを含むことを特徴とし、前記選択されたメッセージが前記報告された車両識別に関連した選択された音声メッセージを含む、請求項２１に記載のデータベース装置。
【請求項２５】
前記報告信号を前記報告移動端末（１６）から受けるように前記入力ユニットが無線装置に結合することを特徴とし、前記選択された関連情報を前記報告移動端末に送るように前記出力ユニットが前記無線装置に結合されている、請求項２０に記載のデータベース装置。
【請求項２６】
前記入力ユニットを無線装置に結合して、前記報告信号を前記報告移動端末から受けるようにしたことを特徴とし、前記出力ユニットが前記無線装置に結合されて、前記選択された関連情報が前記報告された車両識別に関連した登録された移動端末に送られるようにした、請求項２０に記載のデータベース装置。
【請求項２７】
前記選択された関連情報を移動端末に送信する前に、該選択された関連情報を暗号化する暗号化ユニット（３８）をさらに含むことを特徴とする、請求項２１に記載の車両識別データベース装置。
【請求項２８】
ａ）報告移動端末に報告された車両識別を含む報告信号を無線装置（１４または１４ａ）に送信する報告移動端末（１６）と；
ｂ）前記無線装置に結合されたデータベース装置（１２）にして、
ｉ）登録された車両識別（４０）と関連情報（４２）をもつメモリ（３０）と；
ii）前記無線装置から前記報告信号を受ける入力ユニット（３２）と；
iii）前記無線装置に結合された出力ユニット（３４）と；
iv）前記報告された車両識別に対応する登録された車両識別を同定し、前記報告された車両識別に対応する関連情報を選択し、該選択された関連情報を含む情報信号を送信のため前記無線装置に送るように前記出力ユニットに指令する処理装置（３６）と；
ｃ）前記選択された関連情報を含む情報信号を受ける登録された移動端末（２２）にして、
ｉ）前記情報信号を受ける受信器（５０）と；
ii）前記情報信号の受信に応答して、前記受信した情報信号に含まれる関連情報を前記登録された移動端末の使用者に出力する端末出力と；
を含む前記登録された移動端末（５０）と；
を備えたことを特徴とする、通信システム。
【請求項２９】
前記関連情報がメッセージを含むことを特徴とし、前記選択された関連情報が前記報告された車両識別に関連する選択されたメッセージを含む、請求項２８に記載の通信システム。
【請求項３０】
前記メッセージが前記登録された車両識別に関連したパスワードを含むことを特徴とし、前記選択されたメッセージが前記報告された車両識別に関連した選択されたパスワードを含む、請求項２９に記載の通信システム。
【請求項３１】
前記メッセージが登録された車両識別に関連したコードワードキーを含むことを特徴とし、前記選択されたメッセージが前記報告された車両識別に関連した選択されたコードワードキーを含む、請求項２９に記載の通信システム。
【請求項３２】
前記対応するコードワードキーが、前記登録された移動端末に送信される前記選択されたメッセージを暗号化するのに使用するために、前記登録された移動端末に格納されていることを特徴とする、請求項３１に記載の通信システム。
【請求項３３】
前記メッセージが記録された音声メッセージを含むことを特徴とし、前記選択されたメッセージが前記報告された車両識別に関連した選択された音声メッセージを含む、請求項２９に記載の通信システム。
【請求項３４】
前記格納された関連情報が電話番号を含むことを特徴とし、前記選択された関連情報が前記報告された車両識別に関連した選択された電話番号を含む、請求項２８に記載の通信システム。
【請求項３５】
前記入力ユニットが前記報告移動端末から前記報告信号を受けるため前記無線装置に結合されることを特徴とし、前記出力ユニットが前記選択された関連情報を前記報告移動端末に送るため前記無線装置に結合されている、請求項２８に記載の通信システム。
【請求項３６】
前記情報信号が前記無線装置から前記報告移動端末に送信され、前記報告移動端末が前記関連情報を前記移動端末に送信することを特徴とする、請求項２８に記載の通信システム。
【請求項３７】
前記入力ユニットが前記報告移動端末から前記報告信号を受けるため前記無線装置に結合されることを特徴とし、前記出力ユニットが前記選択された関連情報を前記報告された車両識別に関連する前記登録された移動端末に送るため前記無線装置に結合されている、請求項２８に記載の通信システム。
【請求項３８】
前記選択された関連情報を前記移動端末に送信する前に、該選択された前記情報を暗号化するための暗号化ユニット（３８）をさらに含むことを特徴とする、請求項２８に記載の通信システム。
【請求項３９】
車両識別に関連するメッセージを送る方法にして、
ａ）報告移動端末に報告された車両識別を含む報告信号を、該報告移動端末（１６）から受けること；
ｂ）前記報告された車両識別を無線装置（１４）からデータベース装置（１２）に送ること；
ｃ）メモリ（３０）に格納されている、前記報告された車両識別に対応する登録車両識別（４０）を同定すること；
ｄ）前記同定された登録車両識別に対応する関連情報（４２）を選択すること；
ｅ）前記選択された関連情報を前記報告移動端末（１６）または移動端末（２２）に送信するため前記無線装置に送ること；
のステップを含み、
ｆ）前記関連情報が移動端末の電話番号を含むことを特徴とし、前記選択された関連情報が前記報告された車両識別に関連する選択された電話番号を含むことを特徴とする、前記方法。
【請求項４０】
前記格納された関連情報がメッセージを含むことを特徴とし、前記選択された関連情報が前記報告された車両識別に関連する選択されたメッセージを含む、請求項３９に記載の方法。
【請求項４１】
前記メッセージが前記登録車両識別に関連するパスワードを含むことを特徴とし、前記選択されたメッセージが前記報告された車両識別に関連する選択されたパスワードを含む、請求項４０に記載の方法。
【請求項４２】
前記メッセージが前記登録車両識別に関連するコードワードキーを含むことを特徴とし、前記選択されたメッセージが前記報告された車両識別に関連する選択されたコードワードキーを含む、請求項４０に記載の方法。
【請求項４３】
前記メッセージが前記登録車両識別に関連する記録された音声メッセージを含むことを特徴とし、前記選択されたメッセージが前記報告された車両識別に関連する選択された音声メッセージを含む、請求項４０に記載の方法。
【請求項４４】
車両識別に関連するメッセージを送る方法にして、
ａ）報告移動端末に報告された車両識別を含む報告信号を、該報告移動端末（１６）から受けること；
ｂ）前記報告された車両識別を無線装置（１４）からデータベース装置（１２）に送ること；
ｃ）メモリ（３０）に格納されている、前記報告された車両識別に対応する登録車両識別（４０）を同定すること；
ｄ）前記同定された登録車両識別に対応する関連情報（４２）を選択すること；
ｅ）前記選択された関連情報を前記報告移動端末（１６）または移動端末（２２）に送信するため前記無線装置に送ること；
ｆ）前記選択された電話番号を用いて前記報告された車両識別に関連する登録された移動端末を呼出し、前記データベース装置と前記報告された車両識別に関連する前記登録された移動端末との間に通信リンクを形成すること；
のステップを含むことを特徴とする、前記方法。
【請求項４５】
車両識別に関連するメッセージを送る方法にして、
ａ）報告移動端末に報告された車両識別を含む報告信号を、該報告移動端末（１６）から受けること；
ｂ）前記報告された車両識別を無線装置（１４）からデータベース装置（１２）に送ること；
ｃ）メモリ（３０）に格納されている、前記報告された車両識別に対応する登録車両識別（４０）を同定すること；
ｄ）前記同定された登録車両識別に対応する関連情報（４２）を選択すること；
ｅ）前記選択された関連情報を前記報告移動端末（１６）または移動端末（２２）に送信するため前記無線装置に送ること；
のステップを含み、
ｆ）前記関連情報がメッセージを含むことを特徴とし、前記選択された関連情報が前記報告された車両識別に関連する選択されたメッセージを含み、さらに、前記選択されたメッセージを前記データベース装置と前記登録された移動端末との間の前記通信リンクを用いて前記登録された移動端末に送るステップを含む、ことを特徴とする、前記方法。
【請求項４６】
前記選択された関連情報を前記報告移動端末に送るステップをさらに含むことを特徴とする、請求項３９に記載の方法。
【請求項４７】
車両識別に関連するメッセージを送る方法にして、
ａ）報告移動端末に報告された車両識別を含む報告信号を、該報告移動端末（１６）から受けること；
ｂ）前記報告された車両識別を無線装置（１４）からデータベース装置（１２）に送ること；
ｃ）メモリ（３０）に格納されている、前記報告された車両識別に対応する登録車両識別（４０）を同定すること；
ｄ）前記同定された登録車両識別に対応する関連情報（４２）を選択すること；
ｅ）前記選択された関連情報を前記報告移動端末（１６）または該移動端末（２２）に送信するため前記無線装置に送ること；
のステップを含み、
ｆ）前記無線装置が前記選択された関連情報を前記無線装置から前記報告された車両識別に関連する登録された移動端末に送信することを特徴とする、前記方法。
【請求項４８】
前記選択された関連情報を前記報告移動端末から前記登録された移動端末に送るステップをさらに含むことを特徴とする、請求項３９に記載の方法。
【請求項４９】
報告移動端末（１６）または移動端末（２２）と通信する無線装置（１４）であって、該報告移動端末に報告された報告車両識別を含む報告信号を、該報告移動端末（１６）から受ける無線装置（１４）と；
前記無線装置に結合されたデータベース装置（１２）にして、
登録車両識別（４０）と関連情報（４２）を格納するメモリ（３０）と；
前記無線装置に結合され前記データベース装置に前記報告信号を入力する入力ユニット（３２）と；
前記無線装置に結合された出力ユニット（１４）と；
前記メモリに格納され前記報告車両識別に対応する前記登録車両識別を同定し、前記同定された登録車両識別に対応する関連情報を選択する処理装置（３６）にして、前記処理装置が前記出力ユニットに指令して、前記選択された関連情報を、報告移動端末（１６）と前記報告車両識別に関連する移動端末（２２）から選ばれた前記報告移動端末（１６）または移動端末（２２）に送信するための前記無線装置に送るようにした前記処理装置（３６）と；
を含み、
前記報告された車両識別に関連する個人が、予め該個人により前記データベースに寄託された前記送信された関連情報を確認して、前記報告移動端末が法律施行機関に関連することに間違いないことを確認することを特徴とする、通信システム（１０）。
【請求項５０】
車両識別に関連するメッセージを送る方法にして、
報告移動端末に報告された車両識別を含む報告信号を、該報告移動端末（１６）から受け取ること；
前記報告された車両識別を無線装置（１４）からデータベース装置（１２）に送信すること；
メモリ（３０）に格納された前記報告された車両識別に対応する登録車両識別（４０）を同定すること；
前記同定された登録車両識別に対応する関連情報（４２）を選択すること；
前記選択された関連情報を前記報告移動端末（１６）または移動端末（２２）に送信のため、前記無線装置に送る、
ことのステップを含み、前記報告された車両識別に関連する個人が、該個人により予め前記データベース装置に寄託された前記送信された関連情報を確認して、前記報告移動端末が法律施行機関に関連することに間違いないことを確認するようにした、前記方法。
【発明の詳細な説明】
発明の分野
本発明は、一般に移動通信システムに関し、特に移動端末と通信する無線通信システムに関する。
発明の背景
警官は尋問のため整然と運転者を停止しなければならない。運転者が停止すると、警官は通常車両に近づき尋問のため停止した運転者に対面しなければならない。この警官と運転者の対面は潜在的に、警官と停止した運転者の両方に不安を起こす危険な状態である。
警官は、危険であるか、危険でないかもしれない運転者に尋問するため、停止した車両に近づく必要があることにより危険に置かれる。警官が停止した運転者に近づいた後、攻撃されるという多数の状況が不幸にして発生した。警官がもっと安全に停止した運転者に尋問できる通信システムと方法が必要とされる。
同様に、停止した運転者も停止したとき危険な状態に置かれることがある。米国全体を通して、警官を装う偽者により不法に停止させられるという事件が起きている。偽者は通常標識のない車両を用い、サイレンで運転者を騙して停止させる。一度、偽者により停止させられると、運転者は強奪されるか、暴行されるか、あるいはレープされるかもしれない。停止した運転者にとって別の安全の問題は、本物の警官が個人的な偏見または他の理由により権力を濫用することである。通信システムおよび方法は、停止した運転者が、警官の真正性（ａｕｔｈｅｎｔｉｃｉｔｙ）を確認するのを助けることのできるものであることが必要である。
米国特許第５，５１９，２６０号は無免許運転者が車両を運転するのを防ぐための車両保障システムを開示している。車両の各潜在的運転者は運転免許の磁気帯の上にその身元が記号化されている。車両は記号化された身元を読み取ることの出来るカードリーダを備えており、マイクロプロセッサはコンピュータメモリに格納された身元群にアクセスして記号化された身元に関連した潜在的運転者に車両を運転する免許が与えられたか否かを決めることができる。もしマイクロプロセッサが記号化された身元が格納された身元群の１つに適合しない、と決定したときは、無線送信器は運転者の身元信号を中央局に送信する。中央局は受信した運転者の身元信号を全ての運転免許者のリストと比較する。一致したものがあれば、中央局はマイクロプロセッサに車両の点火システムの動作を可能にする許可信号を送信する。さもないと、その車両の点火システムは動作不能に保持される。
米国特許第５，３４３，５２９号は情報送信システムと処理（例えば、セルラー通信）の真正性の証明の方法とを開示している。情報通信システムは情報発生器（例えば、呼出し電話）を含み、起動されたとき、呼出し電話番号を真正性の証明機関（例えば、中央事務所）に送り、証明機関はその呼びに特有の処理識別子を発生する。情報発生器と真正性の証明機関はそれぞれ真正性のコード発生器を含み、各真正性コード発生器は前記特有の処理識別子および他の情報を用いて真正性コードを発生する。両真正性コードは互いに比較され、一致があるか否かを決める。もし一致しておれば、許可信号が処理装置（例えば、交換装置）に送られ、その呼びを処理することを許す。もし一致しなければ、処理装置はその呼びを処理するのを許可しない。
ＰＣＴ出願第ＷＯ  ９６／４２０２１号は、使用者の識別子を格納するメモリを含む個人的衛星リンクをもった非常位置決めシステムを開示している。使用者識別子は個人的衛星リンクの使用者に対応する１組の使用者情報（例えば、使用者の血液型、薬品履歴）を含むデータベースに指標を与える。個人的衛星リンクは使用者識別子を含む無線信号を発生する送信器を含み、送信器は衛星装置を介してデータベースのアクセスする地上局に中継されている。使用者の位置は衛星システムにより決定され、データベースから検索された個人情報と共に捜査および救助隊に与えられる。他の実施例においては、非常位置決めシステムは盗難された車の追跡に使用することができる。
発明の概要
本発明の通信システムは、警官と停止した運転者がもっと安全に通信できるように、車両上の車両識別を用いた通信システムおよび方法を提供する。本発明の好ましい応用は、警官が運転者を停止したとき使用することである。本発明による通信システムは、車両識別に関連した情報へのアクセスを必要とする他の応用を提供する。本発明の好ましい実施例について、以下警官と警官により停止させられた運転者により使用される場合について説明する。
通信システムは、移動端末に情報を送信し、またそれから情報を受けるように無線装置に結合されたデータベース装置を含む。データベース装置は登録された車両識別とその登録された車両識別に対応する関連情報をもった装置メモリを含む。関連情報は、電話番号と、パスワード、コードワードおよび車両識別に関連する音声メッセージのようなメッセージと、を含むことができる。
第１の好ましい実施例において、車両識別データベース装置は、関連する情報を、該データベース装置に報告された車両識別をもった車両に置かれた登録された移動端末に送信する。例えば、運転者を停止した警官は、停止した車両の車両識別を含む報告信号を無線装置に送信する。報告された車両識別はついで無線装置から送られ、データベース装置に入力される。
ここで、報告信号は報告された車両識別を含む信号、と定義される。報告された車両識別の入力に応答して、データベース装置は入力された車両識別に対応する登録された車両識別を同定し、同定された登録車両識別に対応する関連情報を選択する。選択された関連情報は停止した車両の車両識別に関連する移動端末電話番号と対応する関連メッセージを含む。データベース装置の出力ユニットはこの選択された電話番号を用いて、停止した運転者の移動端末を呼出し、選択されたメッセージを送る。このようにして運転者は、警官の真正性を確認するのを助けるのに使用できるメッセージを受け取る。
第２の好ましい実施例において、データベース装置は関連する情報を報告移動端末、または直接登録された移動端末に送信する。例えば、運転者を停止した警官は車両識別を含む報告信号を無線装置に送信する。ついで、車両識別を含む報告信号は無線装置からデータベース装置に送信される。報告信号の入力に応答して、入力された車両識別に対応する格納された登録車両識別が同定され、同定された登録車両識別に対応する関連情報が選択される。選択された関連情報は、同定された登録車両識別に関連した選択メッセージと選択電話番号を含む。データベース装置は、選択された関連情報を無線装置に送信し、無線装置はその関連情報を、報告移動端末に、または停止した運転者の移動端末に直接送信する。選択された関連情報が報告移動端末に送信されると、報告移動端末はその選択されたメッセージを停止した車両の非報告端末に送信するのに用いられる。加えて、選択された電話番号が報告移動端末上に警官に表示される。警官は、そこで表示された電話番号を用いて停止した運転者の移動端末を呼び出すことができる。
本発明の通信システムは、車両の車両識別を用いて警官および／または停止した運転者に情報を与え、その情報は、警官が運転者を停止するのに関連した危険を最小にするのに使用できる。
【図面の簡単な説明】
図１は、本発明による通信システムのブロック図を示す。
図２は、本発明による通信システムの第１の好ましい実施例のブロック図を示す。
図３は、本発明によるデータベース装置のブロック図を示す。
図４は、本発明による通信システムの第２の好ましい実施例のブロック図を示す。
図５は、本発明による登録された移動端末のブロック図を示す。
好ましい実施例の詳細な説明
図面を参照すると、本発明の通信システムが一般に番号１０で示される。通信システム１０を、警官が運転者を尋問のため停止させたとき、警官と停止した運転者の双方の安全の改良のための使用について図示し説明する。
図１を参照すると、通信システム１０が一般に示され、無線装置１４に結合された車両識別データベース装置１２を含む。データベース装置１２は登録された車両識別と登録された移動端末の電話番号およびメッセージを含む関連情報を格納する。データベース装置１２を無線装置１４に結合することにより、データベース装置１２は報告移動端末１６および登録移動端末２２と交信するのに使用できる。好ましい応用において、報告移動端末１６は警官の携帯する、または警察車両１８に設けられた無線移動端末である。登録された移動端末２２は運転者の携帯する、または車両２４に設けられた無線移動端末である。
報告移動端末１６は警官により停止した車両２４の免許板２６に示される車両識別を含む報告信号を、警官派出所２０に、ついで無線装置１４に送信するのに使用される。無線装置１４はその報告信号をデータベース装置１２に送り、そこに報告された車両識別が入力される。入力された車両識別に応答して、データベース装置１２は入力された車両識別に対応する登録された車両識別を同定し、選択された登録車両識別に対応する関連情報を選択する。その選択された関連情報へは移動体番号および／またはパスワード、コードワード、または音声記録のようなメッセージであり得る。データベース装置１２はついで関連情報を報告移動端末１６または登録移動端末２２に送る。警官または停止した運転者は関連情報を受け取り、その関連情報を登録された移動端末２２を呼び出すため、または一般情報として、または真正性確認の目的で使用することができる。
図２を参照すると、通信システム１０の第１の好ましい実施例がより詳細に示される。通信システム１０は専用の無線装置１４ａと公共の無線装置１４ｂに結合されたデータベース装置１２を含む。警察車両１８には報告信号を専用無線装置１４ａに送信するために報告移動端末１６が設けられる。送信される報告信号は停止した車両２４の免許板２６に示される車両識別を含む。報告信号はまた報告移動端末の電話番号のような他の情報を含んでもよく、警官が運転者を停止したとキー警官派出所２０に送信される。
報告信号は、警官により警官と警官派出所２０との間の移動交信のために使用される専用無線装置１４ａに送信される。安全保障の問題のため、報告信号は高感度無線通信を保護するため警察により使用される従来の標準に従って暗号化されてもよい。専用無線装置１４ａは報告信号を警官派出所２０およびデータベース装置１２に送る。専用無線装置１４ａとデータベース装置１２は無線、または固定線路通信リンク、または公共電話交換回路により結合することができる。図２では、専用無線装置１４ａは、データベース装置１２に直接通信リンクにより結合されるように示される。専用無線装置１２はまたデータベース装置１２に警官派出所１２を介して、または公共電話交換回路を介して結合されてもよい。専用無線装置１４ａは報告信号をデータベース装置１２に与えるようにプログラムされた指令を含む。専用無線装置１４ａからデータベース信号に送信される報告信号は報告された車両識別を含む。加えて、報告信号はデータが報告信号で送られたものであることを確認するヘッダデータを含み、専用無線装置１４ａが報告された車両識別を適正にデータベース装置１２に送るようにさせる。報告移動端末１６により送信される報告信号に含まれる情報は警官用機密であり、データベース装置１２には送信されない。
データベース装置１２は報告された車両識別を、報告された車両識別に関連して選択された情報を登録移動端末２２に送るのに使用するように設計されている。下記に示す表１を参照すると、データベース装置１２は多数の車両識別と関連する情報を格納している。例えば、表１は第１の登録された車両識別は“ＮＣ０００１”で、前記第１の登録された車両識別に対応する関連する情報は、登録された電話番号が“（９１９）  １１１−０００１”，パスワードが“Ｒｅｄ”、コードワードが“１１０１０１”、音声メッセージが“１”であることを示している。表１に示されるように、他の登録された車両識別は他の対応する関連情報をもつ。
0003995107.tif 000002
報告された車両識別の入力に応答して、データベース装置１２は登録車両識別にアクセスして報告された車両識別に適合する登録車両識別を同定する。同定の後、同定された車両に対応する関連情報が選択される。例えば、表１を用いて、もし報告された車両識別が“ＮＣ  ０００１”であるなら、データベース装置１２は第１の登録車両識別が適合していると同定して、対応する関連情報を、登録された電話番号“（９１９）１１１−０００１”、パスワード“Ｒｅｄ”、コードワード“１１０１０１”、音声メッセージ“１．”となるように選択する。
従って、選択された関連情報は登録された電話番号とパスワード、コードワード、音声メッセージを含むメッセージを含む。選択された電話番号は停止した運転者により使用されている登録移動端末２２の移動体番号である。選択されたメッセージは停止した運転者により選択されるパスワード、コードワードキーのようなコードワード、または音声メッセージを含むことができる。
車両識別と関連するコードワードは軍隊、またはＣＤＭＡシステムで用いられるような長い疑似乱数的な数列であり得る。あるいは、公共のキーシステムを使用することもできる。もし、公共のキーシステムが用いられるなら、コードワードキーまたは暗号化キーは車両識別に関連し、データベース装置１２に格納される。対応するコードワードキーまたは暗号解読キーがコードワードキーを解読するため、またはコードワードキーを用いて暗号化された関連する情報を解読するために必要である。報告された車両識別に関連する対応コードワードキーは選択されたメッセージを解読するため登録された移動端末２２に格納される。コードワードキーはデータベース装置１２の操作者により機密に保持され、データベース装置１２の信頼された操作者のみが選択されたメッセージを運転者に送信できることを保障する。対応するキーもまた機密に保持され個々の登録された運転者のみに提供される。あるいは、対応するキーが公共の使用のため公表され、一方コードワードキーは機密に保持し、データベース装置１２の操作者のみが、登録された移動端末２２が受領する関連情報を送信できるように保障する。
データベース装置１２は選択された移動体番号を用いて登録された移動端末２２を呼び出す。詳細には、データベース装置１２は通信リンクにより公共無線装置１４ｂに結合されている。通信リンクは無線または固定線路リンクにより公共無線装置１４ｂに結合することにより、またはデータベース装置１２を公共電話交換回路に接続することにより構成できる。
データベース装置１２は選択された電話番号をダイアルすることにより登録された移動端末２２を呼び出し、登録移動端末２２が電話の呼びに応答するのを待つ。登録移動端末２２が呼びに応答するのに応答してデータベース装置１２は選択されたメッセージを含む情報信号を構成された通信リンクを介して登録移動端末２２に送る。停止した運転者の登録移動端末２２は選択されたメッセージを受信し、運転者は受信した選択されたメッセージを用いて警官の真正性を確認する。
図３を参照すると、データベース装置１２のブロック図がさらに詳細に示される。データベース装置１２は装置メモリ３０、入力ユニット３２、出力ユニット３４、処理装置３６、暗号化／暗号解読ユニット３８を含む。装置メモリ３０は登録された車両識別を格納する車両識別記憶装置４０、登録車両識別に対応する関連情報を格納する関連情報記憶装置４２を含む。関連情報記憶装置４２はさらに登録車両識別に対応する電話番号を格納する移動体番号記憶装置４４と登録車両識別に対応するパスワード、コードワード、音声メッセージのようなメッセージを格納するメッセージ記憶装置４６とに分割される。標準データベースメモリとツール（ｔｏｏｌｓ）が装置メモリ３０に登録された車両識別と対応する関連情報を格納するのに用いることができる。
処理装置３６は装置メモリ３０に接続され報告された入力車両識別を対応する登録車両識別に適合させ、選択された登録車両識別に対応する関連情報を選択するのに用いられる。処理装置３６は報告された車両識別を含む報告信号を受け取る入力ユニット３２と、選択された関連情報を登録された移動端末２２に送る出力ユニット３４とに接続されている。入力ユニット３２と出力ユニット３４とはデータベース装置と無線装置または公共電話交換回路との間のインタフェースを与える標準の入力／出力インタフェース装置である。入力ユニット３２は報告信号を受け取り、報告された車両識別に対応する関連情報を選択するのに必要な処理のために、該報告された車両識別を処理装置３６に送る。出力ユニット３４は処理装置３６から選択された関連情報を受け取る。選択された関連情報の受け取りに応答して、出力ユニット３４は先ず選択された電話番号を用いて登録された移動端末２２を呼び出す。登録された移動端末２２がその呼びに応答すると、通信リンクが登録移動端末２２とデータベース装置１２の間に形成され、出力ユニット３４は選択されたメッセージを登録された移動端末２２に送る。また、暗号化／暗号解読ユニット３８が処理装置３６に接続されており、選択されたメッセージを出力ユニット３４と登録移動端末２２に送る前にそのメッセージを暗号化するのに用いられる。暗号化／暗号解読ユニット３８はまた必要なら入力ユニット３２で受け取った報告信号の暗号解読にも用いられる。暗号化／暗号解読ユニットは報告移動端末１６、登録移動端末２２とデータベース装置１２との間に送られる情報の意図しない開示を防ぐための保障を与える。
動作について、第１の好ましい実施例の通信システム１０は次の如く動作する。運転者はデータベース装置１２に登録する。登録するために、運転者はデータベース装置１２に、その車両２４の免許板２６に表示されている車両識別と運転者がその車両を運転しているとき携帯している移動端末の電話番号とを入力する。移動端末に与えられる電話番号は、通常使用される一般使用電話番号と異なる移動端末電話番号を用いることができる。加えて、データベース装置１２に登録する運転者は、運転者のみが知っているパスワードまたは運転者により作られたパスワードまたは音声記録を含む音声メッセージを与える。データベース装置１２に格納される関連情報が機密に保持されることを保障するための保障手段が取られる。データベース装置１２に登録した後、運転者に対応するキーコードワードが送られ、そのキーコードワードは、登録された車両識別と電話番号とに関連するキーコードワードの解読に用いるため、登録された移動端末２２に格納される。一度データベース装置１２が登録されると、使用者はそのデータベース装置１２を用いて、以下述べるようにして車両２２を停止させた警官の真正性を確認できる。
標準の手続きによれば、警官は尋問のため運転者を停止させるとき、警察車両１８のライトを点滅するかサイレンを鳴らす。ついで、警官は報告移動端末１６を用いて停止した車両２４の免許板２６上の車両識別を報告する。警官は報告移動端末１６上のキーパッドを用いて車両識別を入力し、報告移動端末１６はデータチャネルを介して報告された車両識別を表す車両識別データを含む報告信号を送信する。データヘッダは、専用無線装置１４ａとデータベース装置１２に、車両識別データが報告移動端末１６から送信されていることを確認するため、車両識別データを伴ってもよい。あるいは、警官は車両識別を警官派出所２０に音声チャネルを介して報告してもよく、警官派出所２０は報告された車両識別を含む報告信号をデータベース装置１２に送る。
データベース装置１２は報告された車両識別を受け、それを処理して報告された車両識別に対応する格納された登録車両識別を同定し、ついで報告された車両識別に対応する関連情報を選択する。もし、適合する登録車両識別が同定されなければ、データベース装置はそれ以上の作業はしない。選択された関連情報は登録された移動端末１６の選択された電話番号と選択されたメッセージを含む。データベース装置１２は選択された電話番号を用いて登録された移動端末２２を呼出し、それに選択されたメッセージを送る。
警官に停止させられた運転者は車両２４の中に登録された移動端末２２を携帯している。警官により停止させられた後、運転者はデータベース装置１２からの呼びを待つ。前述の如く、データベース装置１２は選択された電話番号を用いて登録された移動端末２２を呼ぶ。運転者はその呼びに答えてデータベース装置１２から選択されたメッセージを受ける。選択されたメッセージは予め運転者により選択されたパスワードであってもよく、登録された移動端末２２の表示器に表示され、またはそのスピーカにより出力される。選択されたメッセージはまたコードワードキーであり得る。登録された移動端末は、登録された移動端末２２に格納されている対応するコードワードキーを用いて、データベース装置１２から受け取ったコードワードキーを解読するようにプログラムされている。登録された移動端末は、データベース装置１２から受け取ったコードワードキーの解読に応答して、登録移動端末２２の表示またはスピーカを用いて真正性メッセージを出力する。運転者は、登録移動端末２２による選択されたメッセージの出力を用いて、警官の真正性を確認する。
図４には、通信システム１０の第２の好ましい実施例が示される。以下述べるように、第２の好ましい実施例による通信システム１０は選択された関連情報をまず報告移動端末１６に送り、報告移動端末１６はついで関連情報を登録移動端末２２に送信する。
通信システム１０は専用無線装置１４ａに接続されたデータベース装置１２を含む。警官車両１８の報告移動端末１６は、第１の好ましい実施例に関して説明したようにデータベース装置１２に報告信号を送信することにより、データベース装置１２に車両識別を報告する。報告信号は報告された車両識別と、送信されたデータが車両識別であることを示すヘッダデータとを含む。加えて、報告信号は、報告移動端末１６の移動電話番号と警官の記章番号を含むことができる。データベース装置１２は、第１の好ましい実施例に関して説明したように、報告された車両識別に対応する関連情報を選択する。選択された関連情報は登録された移動端末２２に対応する選択された移動体番号とパスワード、コードワード、または音声メッセージのような選択されたメッセージを含む。
第２の好ましい実施例のデータベース装置１２は専用無線装置１４ａを用いて選択された関連情報を報告移動端末１６に送る。データベース装置１２は情報信号を専用無線装置１４ａに送信し、専用無線装置１４ａはその情報信号を報告移動端末１６に送信する。情報信号を報告移動端末１６に送信するのに、標準のデータチャネルが専用無線装置１４ａにより用いられる。データベース装置１２を警官派出所２０または公共電話交換回路を介して専用無線装置１４ａに結合することができる。
情報信号を受信すると、報告移動端末１６は選択された電話番号と選択されたメッセージを警官に表示する。選択された移動体番号はまた警官による使用のため報告移動端末１６に格納される。警官により使用される報告移動端末１６の型式により、または登録された移動端末２２に類似した移動端末を警官が利用できるか否かにより、警官は選択された移動体番号を用いて運転者の登録された移動端末２２を呼び出すことが出来る。報告移動端末１６は選択された電話番号の受け取りに応答して登録された移動端末２２を呼び出すようにプログラムすることも出来る。
選択された関連情報を受け取ると、報告移動端末１６は選択されたメッセージを登録された移動端末２２に送信するようにプログラムされている。さらに詳細には、報告移動端末１６は専用無線装置１４ａからの情報信号の受け取りに応答して選択されたメッセージを含む情報信号を送信する。情報信号は登録された移動端末２２の電話番号を同定するヘッダを含む。ヘッダは報告移動端末１６に選択されたメッセージを登録された移動端末２２に送信するように命令するデータ指令を含むこともできる。情報信号は報告移動端末１６から選択されたチャネルまたは周波数帯域で送信される。
図５を参照すると、登録された移動端末２２は報告移動端末１６により送信された情報信号を受けるように設計されている。登録された移動端末２２は低コスト、電池作動、ポケットサイズ、セルラー電話であり得る。図５に示されるように、登録された移動端末２２は受信器５０、暗号解読ユニット５２、コードメモリ５４、真正性出力５６を含む。受信器５０は、報告移動端末１６が情報信号を送信するのに用いる選択されたチャネルまたは周波数帯域により送信される無線信号を受信する。受信器５０は報告移動端末１６により送信される情報信号を受信する。通信システム１０が選択されたコードワードを登録された移動端末に送信するように設計されているときは、暗号解読ユニット５２は受信したコードワードをコードメモリ５４に格納されているコードワードと比較、または関連を求めるように機能する。もし、受信したコードワードと格納されているコードワードとが相互対応しているならば、肯定的真正性信号が真正性出力５６に出力される。もし、受信したコードワードと格納されたコードワードとが相互対応しないときは、否定的真正性信号が真正性出力５６に出力される。真正性出力５６は運転者に停止車両２４の車両識別に対応するコードワードが受信されたか否かを示すのに使用する表示またはスピーカであり得る。
公共キーシステムがまたデータベース装置１２から送られる選択されたメッセージを暗号化するのに使用できる。データベース装置１２から送信する前に、選択されたメッセージは報告車両識別に対応するキーコードワードを用いて暗号化される。暗号化された選択メッセージは報告移動端末１６に送信され、ついで報告移動端末１６から登録移動端末２２に送信される。登録された移動端末２２はコードメモリ５４に格納されている対応するキーコードワードを含み、このキーコードワードは選択されたメッセージを解読するのに用いられ、運転者には既知のパスワードであっても良い。情報信号はまた、警官の記章番号のような他の暗号化された情報とデータを含むかもしれない。この追加の情報は、そのメッセージが古いメッセージ、または他の警官におくられたメッセージで、以前に傍受したものでないことを確認するのを助ける。
通信システム１０の別の第２の好ましい実施例において、データベース装置１２からの情報信号は、専用無線装置１４ａから直接登録された移動端末２２に送信される。専用無線装置１４ａからの情報信号は警官車両１８と停止車両２４の領域に選択された周波数帯域で送信され、登録された移動端末２２の受信器５０によりモニターされる。従って、登録された移動端末２２は専用無線装置１４ａから直接情報を受け取る。
動作について、第２の好ましい実施例の通信システム１０は次の如く動作する。通信システム１０の第１の好ましい実施例に関して説明したように、警官は車両２４の車両識別をデータベース装置１２に報告し、データベース装置１２は報告された車両識別に対応する関連情報を選択する。
第２の好ましい実施例のデータベース装置１２は情報信号を専用無線装置１４ａを介して警官により使用される報告移動端末１６に送信する。警官は選択された関連情報を受け取り、登録された移動端末２２の電話番号が警官の使用のため表示される。表示された電話番号は車両２４の運転者を呼び出すのに使用される。
報告移動端末１６はまた受け取った選択メッセージを含む情報信号を停止車両の登録された移動端末２２に送信する。登録された移動端末２２は報告移動端末１６から情報信号を受け取る。別の第２の好ましい実施例においては、情報信号は直接専用無線装置１４ａから登録された移動端末２２に送信される。受信した情報信号を暗号解読して、登録移動端末２２は真正性出力を出力する。停止車両２４の運転者は真正性出力を使用して警官の真正性の確認の助けとする。
上記のデジタル通信システム１０のブロック要素の詳細は従来技術で公知であり、それの詳しい説明は必要ないであろう。ここに図示し記載したもの以外の異なる実施例と応用が、多くの変更、修正および均等の構成と同様に明らかであり、前述の明細書および図面から当然に示唆され、本発明の実質あるいは範囲から逸脱するものでない。本発明を好ましい実施例について詳細に説明したが、この開示は本発明の単なる説明的例示であり、本発明の充分な開示を与える目的のものであることが理解されるであろう。
【図１】
0003995107.tif 000003
【図２】
0003995107.tif 000004
【図３】
0003995107.tif 000005
【図４】
0003995107.tif 000006
【図５】
0003995107.tif 000007